(57)【要約】【課題】アコースティックギターのようにボディが大きい弦楽器において、音量の向上を図ることができ、かつ、低音域の音を容易に出せるようにする。【解決手段】内部空間ＣＶを有するボディ２と、ボディ２の内部空間ＣＶに突出する支持フレーム４と、内部空間ＣＶに位置する支持フレーム４の内部配置部３２に支持され、ボディ２の表板１１の外面からボディ２の外側に突出するテールピース５と、を備える弦楽器１を提供する。【選択図】図２
2018054973.tif 000002
【特許請求の範囲】
【請求項１】
内部空間を有するボディと、
前記ボディの前記内部空間に突出する支持フレームと、
前記内部空間に位置する前記支持フレームの内部配置部に支持され、前記ボディの表板の外面から前記ボディの外側に突出するテールピースと、を備える弦楽器。
【請求項２】
前記テールピースが、前記表板に形成された貫通孔を通して前記ボディの外側に突出している請求項１に記載の弦楽器。
【請求項３】
前記表板に、サウンドホールが形成され、
前記支持フレームの内部配置部が、前記サウンドホールを除く前記表板の部位と前記表板の厚さ方向に重なるように配されている請求項１又は請求項２に記載の弦楽器。
【請求項４】
前記支持フレームが、前記ボディの外側に配される外部配置部を有する請求項１から請求項３のいずれか一項に記載の弦楽器。
【請求項５】
前記外部配置部に重ねて配される指板を備える請求項４に記載の弦楽器。
【発明の詳細な説明】
【技術分野】
【０００１】
本発明は、弦楽器に関する。
【背景技術】
【０００２】
従来のアコースティックギターでは、弦が、ヘッドと、ボディの表板に固定されたテールピースとの間で張られている（例えば特許文献１参照）。
また、アコースティックギターに類似する従来の弦楽器として、三味線がある。三味線では、弦が、天神（ヘッドに類似）と、胴（ボディに類似）の側面から突出する音緒（テールピースに類似）と、の間に張られている。音緒は、天神から胴まで延びる棹と、棹から延長して胴の内部を直線状に貫通する中木の先端部分に設けられている。
【先行技術文献】
【特許文献】
【０００３】
【特許文献１】特開平１１−３１６５８３号公報
【発明の概要】
【発明が解決しようとする課題】
【０００４】
上記従来のアコースティックギターでは、弦の一端を固定するテールピースがボディの表板に固定されているため、表板には弦の張力を支えるための強度が要求される。しかしながら、表板の強度が高いことで、表板が振動し難くなったり、表板の共振周波数が高くなったりしてしまう。その結果、従来構造のアコースティックギターでは、発生する音量の大きさに限界が生じる、また、低音域の音が出難い、という問題がある。
【０００５】
ここで、従来のアコースティックギターにおいて、テールピースを表板に固定する代わりに、上記従来の三味線の構造を採用して、テールピースをボディの側部に設けることが考えられる。
しかしながら、アコースティックギターのようにボディが大きい弦楽器に対し、三味線の構造を採用すると、表板に設けられて弦の振動を表板に伝えるサドルからテールピースに至る距離が過度に長くなってしまう。このため、サドルにおいて弦が折り曲げられる角度が小さくなる。その結果、サドルに対する弦の押し付けが弱くなり、弦の振動が表板に伝わり難くなる。すなわち、ボディが大きい弦楽器において、三味線の構造を採用すると、大きな音を鳴らすことが困難となる、という問題がある。
【０００６】
本発明は、上述した事情に鑑みてなされたものであって、大きなボディであっても、音量の向上を図ることができ、かつ、低音域の音が出やすい弦楽器を提供することを目的とする。
【課題を解決するための手段】
【０００７】
本発明は、内部空間を有するボディと、前記ボディの前記内部空間に突出する支持フレームと、前記内部空間に位置する前記支持フレームの内部配置部に支持され、前記ボディの表板の外面から前記ボディの外側に突出するテールピースと、を備える弦楽器を提供する。
【発明の効果】
【０００８】
本発明によれば、弦の張力を受けるテールピースを表板によって支持する必要が無くなるため、表板に要求される強度（剛性）を低く抑えて、表板を薄くまた軽く形成できる。これにより、一般的なアコースティックギターと比較して大きな音量を出すことが可能となる。また、低音域の音を容易に出すことができる。
また、テールピースが表板上に位置するため、ボディがアコースティックギターのように大きくても、弦の振動を表板に容易に伝えることができる。
【図面の簡単な説明】
【０００９】
【図１】本発明の第一実施形態に係る弦楽器を示す正面図である。
【図２】図１のII−II矢視断面図である。
【図３】本発明の第二実施形態に係る弦楽器を示す正面図である。
【図４】図３のIV−IV矢視断面図である。
【図５】本発明の他の実施形態に係る弦楽器を示す正面図である。
【図６】本発明の他の実施形態に係る弦楽器の要部を示す拡大断面図である。
【発明を実施するための形態】
【００１０】
〔第一実施形態〕
以下、図１，２を参照して本発明の第一実施形態について説明する。
図１，２に示すように、本実施形態の弦楽器１は、アコースティックギターであり、ボディ２と、指板３と、支持フレーム４と、テールピース５と、を備える。
【００１１】
ボディ２は、一般的なアコースティックギターと同様に、表板１１、裏板１２及び側板１３を接合して構成され、内部空間ＣＶを有している。表板１１には、サウンドホール１４が形成されている。
表板１１は、例えば平板状に形成されてもよい。本実施形態の表板１１は、側板１３と接合される表板１１の縁部から側板１３の内側に向かうにしたがってボディ２の外側に膨出するように湾曲している。表板１１がボディ２の外側に膨出していることで、縁部を除く表板１１の部位と後述する支持フレーム４との干渉を回避することができる。
本実施形態の裏板１２は、平板状に形成されているが、これに限ることはない。
【００１２】
指板３は、ボディ２から延びている。本実施形態において、指板３の長手方向の第一端部２１は、表板１１の外面上に配されている。指板３の第一端部２１は、例えば表板の外面に接触してもよいが、本実施形態では表板の外面と間隔をあけて位置している。前述したボディ２のサウンドホール１４は、弦楽器１をボディ２の表板１１側から見た正面視で、指板３の長手方向において指板３の第一端部２１に隣り合う位置に形成されている。指板３の第二端部２２は、指板３の長手方向においてボディ２から最も離れて位置する。
【００１３】
支持フレーム４は、指板３と重ねて配されると共にボディ２の内部空間ＣＶに突出している。支持フレーム４は、弦楽器１における弦１０の張力によって変形しない程度の強度（剛性）を有するとよい。支持フレーム４を構成する材料は、金属製、木製、樹脂製など任意であってよい。
支持フレーム４は、ボディ２の外側に配される外部配置部３１と、ボディ２の内部空間ＣＶに位置する内部配置部３２と、を有する。
【００１４】
外側配置部３１には、指板３が重ねて配されている。外部配置部３１は、指板３と同様の帯板状に形成され、指板３に固定されている。外部配置部３１は、指板３と共に弦楽器１のネックを構成している。外部配置部３１は、例えば指板３に直接触れるように指板３と重なってもよいが、本実施形態では、帯板状のスペーサー６を介して指板３と重なっている。スペーサー６は、例えば支持フレーム４が表板１１の内面に触れることを防ぐために設けられてもよい。本実施形態のスペーサー６は、指板３が表板１１の外面に触れることを防ぐために設けられている。
また、本実施形態において、指板３が突出するボディ２の第一端から外側に延びる外部配置部３１の長さは、ボディ２の第一端から外側に延びる指板３の長さと一致している。
【００１５】
内部配置部３２は、少なくとも後述するテールピース５を支持するように形成されていればよい。本実施形態の内部配置部３２は、外部配置部３１から指板３の長手方向に延長する帯板状に形成されている。すなわち、本実施形態の支持フレーム４は、全体で直線的に延びる帯板状に形成されている。
本実施形態の内部配置部３２は、指板３が突出するボディ２の第一端から反対側の第二端に向けて延びている。内部配置部３２は、その一部がサウンドホール１４と表板１１の厚さ方向に重なるように配されている。内部配置部３２の延長方向の先端部は、例えばボディ２の第二端に到達してボディ２の側板１３に接続されてもよいが、本実施形態では到達していない。内部配置部３２の先端部は、図２に例示するように、ボディ２の裏板１２の内面から延びる支持部材３３によって支持されてもよい。
【００１６】
ボディ２の厚さ方向における支持フレーム４の厚さは、例えばボディ２の厚さと同等でもよい。本実施形態の支持フレーム４の厚さ（特に外部配置部３１の厚さ）は、指板３及び支持フレーム４を含むネックの握りやすさを考慮し、ボディ２の厚さよりも小さく設定されている。また、支持フレーム４は、ボディ２に対し、ボディ２の厚さ方向において表板１１側に寄せて位置している。図示例では、支持フレーム４がボディ２の第一端において表板１１の内面に接触しているが、例えば接触しなくてもよい。
【００１７】
テールピース５は、弦楽器１の弦１０の一端を留める部位であり、支持フレーム４の内部配置部３２に支持されている。テールピース５は、表板１１の外面からボディ２の外側に突出している。テールピース５の構造は、少なくとも弦１０の端部を留めることが可能な構造であればよく、任意であってよい。テールピース５は、指板３の長手方向において指板３の第一端部２１に対して間隔をあけた位置に設けられている。本実施形態において、テールピース５は、指板３の第一端部２１との間にボディ２のサウンドホール１４が位置するように配されている。
【００１８】
本実施形態のテールピース５は、表板１１に形成された貫通孔１５を通してボディ２の外側に突出している。これにより、テールピース５は、表板１１を介さずに支持フレーム４の内部配置部３２に固定されている。テールピース５は、例えば内部配置部３２に直接固定されてもよいし、例えばスペーサーを介して内部配置部３２に固定されてもよい。
正面視した貫通孔１５の大きさは、テールピース５が表板１１に触れないように設定されてもよい。また、貫通孔１５の大きさは、テールピース５と貫通孔１５の内面との隙間が小さくなるように設定されてもよい。
【００１９】
本実施形態の弦楽器１は、ヘッド７を備える。ヘッド７は、指板３の長手方向において指板３の第二端部２２に隣り合う位置に配されている。ヘッド７には、弦１０の他端側の部分を巻き取るペグ４１が設けられている。図示例では、ヘッド７が支持フレーム４と別個に形成されているが、例えば一体に形成されてもよい。すなわち、ヘッド７は、例えば支持フレーム４の一部として構成されてもよい。
本実施形態の弦楽器１では、一般的なアコースティックギターと同様に、テールピース５とヘッド７との間で弦１０が張られている。ここで、テールピース５とヘッド７との間には支持フレーム４が位置するため、弦１０の張力を支持フレーム４で安定して受けることができる。
【００２０】
本実施形態の弦楽器１は、表板１１の外面に配されて弦１０の振動を表板１１に伝える振動伝達部８を備える。本実施形態において、振動伝達部８は、一般的なアコースティックギターと同様のブリッジ５１及びサドル５２を備える。ブリッジ５１及びサドル５２は、表板１１の外面に順次重ねて設けられている。サドル５２は、弦楽器１の弦１０を支持する。
ブリッジ５１及びサドル５２は、指板３の長手方向において指板３の第一端部２１とテールピース５との間に位置している。本実施形態では、ブリッジ５１及びサドル５２が、ボディ２のサウンドホール１４とテールピース５との間に位置している。また、本実施形態では、ブリッジ５１及びサドル５２が、表板１１のうちボディ２の外側に最も膨出した部位に配されている。
【００２１】
本実施形態の弦楽器１では、弦１０の振動がサドル５２及びブリッジ５１（振動伝達部８）を介して表板１１に伝達される。これにより、表板１１が振動すると共にボディ２内（内部空間ＣＶ）の空気が共鳴し、音がサウンドホール１４から外部に放射される。
【００２２】
以上説明したように、本実施形態の弦楽器１によれば、テールピース５が一般的なアコースティックギター等の弦楽器と同様に表板１１上に位置している。このため、弦楽器１のボディ２がアコースティックギターのように大きくても、弦１０の振動を表板１１に容易に伝えることができる。
【００２３】
また、本実施形態の弦楽器１によれば、弦１０の張力を受けるテールピース５が支持フレーム４の内部配置部３２によって支持されている。このため、テールピース５を表板１１によって支持する必要が無くなる。このため、表板１１に要求される強度（剛性）を低く抑えて、表板１１を薄くまた軽く形成することができる。これにより、一般的なアコースティックギターと比較して大きな音量を出すことが可能となる。また、表板１１の共鳴周波数を低く抑えることができるため、低音域の音を容易に出すことができる。
【００２４】
また、本実施形態の弦楽器１によれば、テールピース５が表板１１を介さずに支持フレーム４の内部配置部３２に固定され、表板１１に触れない。これにより、弦楽器１の音響特性のみを考慮して表板１１を設計することが可能となり、表板１１をより薄くまた軽く形成することができる。
【００２５】
また、本実施形態の弦楽器１によれば、テールピース５とヘッド７との間に張られた弦１０の張力を支持フレーム４で受けることができる。このため、フレームの強度（剛性）を高く設定することで、高い張力で張られる弦１０（例えばエレクトリックベースギター用の太い弦）を弦楽器１に適用することも可能となる。
【００２６】
また、本実施形態の弦楽器１によれば、表板１１上に位置する指板３の第一端部２１が、スペーサー６によって、表板１１の外面と間隔をあけて位置している。すなわち、指板３が表板１１に接触していない。このため、表板１１の振動が指板３によって阻害されることを防止できる。
【００２７】
また、本実施形態の弦楽器１によれば、ブリッジ５１及びサドル５２が、表板１１のうちボディ２の外側に最も膨出した部位に配されている。このため、表板１１の剛性が低くても、弦１０がブリッジ５１及びサドル５２を表板１１に向けて押しつける力によって表板１１がボディ２の内側に凹むように変形することを好適に抑制できる。
【００２８】
〔第二実施形態〕
次に、図３，４を参照して本発明の第二実施形態について説明する。
この実施形態では、第一実施形態の弦楽器１と比較して、主にサウンドホールの形成位置が異なり、その他の構成については第一実施形態と同様である。本実施形態では、第一実施形態と同一の構成要素について同一符号を付す等して、その説明を省略する。
【００２９】
図３，４に示すように、本実施形態の弦楽器１Ａは、第一実施形態と同様に、ボディ２Ａと、指板３と、支持フレーム４と、テールピース５と、を備える。
本実施形態のボディ２Ａの表板１１Ａには、支持フレーム４の内部配置部３２に固定されたテールピース５を通す貫通孔１５Ａが形成されている。本実施形態では、貫通孔１５Ａがボディ２Ａのサウンドホール１４Ａとしても機能する。すなわち、本実施形態では、サウンドホール１４Ａと貫通孔１５Ａとが一体に形成されている。具体的に、貫通孔１５Ａは、正面視でテールピース５よりも大きく形成されている。
【００３０】
本実施形態において、貫通孔１５Ａは、貫通孔１５Ａのうちテールピース５が通らない領域が、支持フレーム４の内部配置部３２と表板１１Ａの厚さ方向に重ならないように形成されている。すなわち、本実施形態の弦楽器１Ａでは、支持フレーム４の内部配置部３２がサウンドホール１４Ａを除く表板１１Ａの部位と表板１１Ａの厚さ方向に重なるように配されている。図示例では、貫通孔１５Ａが、テールピース５に対して、指板３の長手方向においてボディ２Ａの第二端側に広がるように形成されているが、これに限ることはない。
【００３１】
本実施形態に係る弦楽器１Ａによれば、第一実施形態と同様の効果を奏する。
さらに、本実施形態の弦楽器１Ａでは、支持フレーム４の内部配置部３２がサウンドホール１４Ａを除く表板１１Ａの部位と表板１１Ａの厚さ方向に重なるように配されている。このため、ボディ２Ａ内の空気の共鳴に伴う音の外部への放射が、内部配置部３２によって阻害されることを抑制できる。すなわち、弦楽器１Ａの音響特性が支持フレーム４の影響を受けることを好適に抑制できる。
【００３２】
以上、本発明について詳細に説明したが、本発明はこれら実施形態に限定されるものではなく、本発明の趣旨を逸脱しない範囲において種々の変更を加えることが可能である。
【００３３】
本発明の弦楽器において、支持フレームの内部配置部がサウンドホールを除く表板の部位と表板の厚さ方向に重なるように配される構成は、第二実施形態の弦楽器に限らず、例えば図５に示すように、サウンドホール１４がテールピース５と指板３との間に位置する第一実施形態と同様の弦楽器１Ｂにも適用可能である。
この場合、図５に例示するように、支持フレーム４Ｂの内部配置部３２Ｂは、内部配置部３２Ｂがサウンドホール１４を囲む環状に形成されてもよい。また、内部配置部３２Ｂは、例えばサウンドホール１４を迂回するように湾曲した棒状に形成されてもよい。
【００３４】
本発明の弦楽器では、例えば図６に示すように、テールピース５が、支持フレーム４Ｃの内部配置部３２Ｃと共に表板１１Ｃを挟み込むように内部配置部３２Ｃに固定されることで、内部配置部３２Ｃに支持されてもよい。
このような構成でも、表板１１Ｃを薄くまた軽く形成できるため、上記実施形態と同様の効果を奏する。また、上記した構成では、テールピース５を通すための貫通孔を表板１１Ｃに形成する必要が無い。すなわち、表板１１Ｃを一般的なアコースティックギターの表板と同じ形状に形成することができる。
【００３５】
本発明の弦楽器は、例えば振動伝達部（ブリッジ及びサドル）を備えなくてもよい。
本発明の弦楽器において、支持フレームは例えば外部配置部を含まなくてもよい。
【００３６】
本発明の弦楽器は、例えば指板を備えなくてもよい。
本発明の弦楽器は、アコースティックギターに限らず、ボディ、テールピースを備える様々な種類の弦楽器に適用することが可能である。
【符号の説明】
【００３７】
１，１Ａ，１Ｂ…弦楽器、２，２Ａ…ボディ、３…指板、４，４Ｂ，４Ｃ…支持フレーム、５…テールピース、７…ヘッド、８…振動伝達部、１０…弦、１１，１１Ａ，１１Ｃ…表板、１２…裏板、１３…側板、１４，１４Ａ…サウンドホール、１５，１５Ａ…貫通孔、３１…外部配置部、３２，３２Ｂ，３２Ｃ…内部配置部、５１…ブリッジ、５２…サドル
【図１】
2018054973.tif 000003
【図２】
2018054973.tif 000004
【図３】
2018054973.tif 000005
【図４】
2018054973.tif 000006
【図５】
2018054973.tif 000007
【図６】
2018054973.tif 000008